(57)【特許請求の範囲】
【請求項１】
計器を取り除いた後の計器ボックスに取り付けられ、前記計器に関連する計器関連情報および前記計器に接続すべき電線を管理する管理器具であって、
ケースと、
前記ケースに設けられ、表示すべき記号を変更自在に設定する複数の表示片が配列され、これら表示片によって記号配列を形成し、当該記号配列を前記計器関連情報として表示する計器関連情報表示部と、
前記ケースに設けられ、前記電線の端部を覆いつつ当該端部を固定する電線固定部と、
を備え、
前記ケースは、
前面側が開口したケース本体と、
前記開口を塞ぐように開閉自在に配設される蓋部と、を有しており、
前記ケース本体および前記蓋部の間には、前記蓋部の開放を抑止する封印手段が設けられ、
前記複数の表示片は、前記ケース本体内に回転可能に支持されるダイヤルであり、
前記ダイヤルは、前記ケースの前記蓋部を開放した状態でのみ、個々の前記ダイヤルの回転が可能となることを特徴とする管理器具。
【請求項２】
前記電線固定部は絶縁材料からなり、前記電線の端部が装着されることを特徴とする請求項１に記載の管理器具。
【請求項３】
前記ケースは、
前記ケース本体の背面側に固定された支持部と、
前記計器ボックスに突設された突起部および前記支持部の間に架設され、一端側が前記突起部に係止されると共に、他端側が前記支持部と摺動自在に係合される係合部と、を有するスライド機構を介して前記計器ボックスに取り付けられていることを特徴とする請求項１又は２に記載の管理器具。
【発明の詳細な説明】
【技術分野】
【０００１】
本発明は、計器ボックスから計器を取り外した後に、契約番号等を管理すると共に、電力供給側の電線を計器ボックス内に保持する管理器具に関する。
【背景技術】
【０００２】
一般に、建物には、電力会社と電気の需給契約を締結したユーザ（お客さま）がその建物において使用した電気の使用量を測定する計器が設けられている。このような計器は、計器ボックス内に取り付けられている。
【０００３】
ある建物において、電気の需給契約が廃止された後、１年以上経過しても次の需給契約がない場合には、計器ボックスから計器を取り除くこととなっている。ここで、図５は、従来の計器ボックスにおいて、計器が取り除かれた後の状態を示している。図５において、計器ボックス５１は、ベース部５２とフロントカバーとにより中空の箱状に形成されているが、計器ボックス５１はそのフロントカバーが取り外され、内部が露出した状態である。
【０００４】
図５に示す通り、計器が取り除かれた後でも、計器に接続すべき電力供給側電線６１の端側と、負荷側電線６２の端側とは、計器ボックス５１内に据え付けられた状態で保持される。これにより、次の需給契約が締結され、その建物において電気の使用が再開される場合、そのために計器を計器ボックス５１に再び取り付ける際に、電線６１、６２を計器に容易に接続することができるようになっている。また、計器ボックス５１から計器が取り除かれている間に、電力供給側電線６１の先端部において露出した導体部が接触して短絡することを防止するために、当該電線６１の端部には、絶縁材料からなる端末キャップ７１（低圧用電線端末キャップ）が装着される。
【０００５】
また、図５に示すように、計器が取り除かれた後は、その計器が設けられた建物において電気の需給契約を締結していたお客さまに割り当てられていた契約番号が記載されたシール７２が計器ボックス５１のベース部５２上に貼付される。これにより、電気の需給契約の単位となっている建物が解体等によって消失する際に、電力会社の作業者は、計器ボックス５１に貼付されたシールを見ることにより、かつてその建物において電気の需給契約を締結していたお客さまに割り当てられていた契約番号を容易に特定することできる。
【０００６】
ここで、契約番号が記載されたシールを貼付することの作用効果につき、説明を補足する。電力会社と電気の需給契約を締結したお客さまには契約番号が割り当てられる。その契約番号は、お客さまが電気を使用する場所（原則として構内または建物）との関係で定められる。１つの場所において、需給契約を締結するお客さまが変更された場合には、変更前のお客さまに割り当てられていた契約番号と同一の契約番号が変更後のお客さまに割り当てられることとなっている。建物解体等により、電気の需給契約の単位となっている場所が消滅する際には、かつてその場所において電気の需給契約を締結していたお客さまに割り当てられていた契約番号を抹消することとなっている。契約番号の抹消をするためには、抹消すべき契約番号を特定する必要がある。計器ボックス５１から計器を取り除いた後では契約番号の特定が困難になる可能性があるが、契約番号を記載したシール７２を計器ボックス５１に貼付しておくことで、計器ボックス５１から計器を取り除いた後であっても契約番号を容易に特定することが可能になる。
【先行技術文献】
【特許文献】
【０００７】
【特許文献１】特開平２−２４１３１５号公報
【発明の概要】
【発明が解決しようとする課題】
【０００８】
ところで、契約番号が記載されたシール７２を、計器が取り除かれた計器ボックス５１のベース部５２に貼付する従来の方法には、次のような問題がある。
まず、シール７２の作成が煩雑である。すなわち、契約番号は建物ごとに異なり、どの建物において計器の取り除きが実施されるかを事前に予測することは困難であるため、契約番号を記載したシール７２を予め作ってストックしておくことは難しい。それゆえ、計器の取り除きが実施される都度、契約番号が記載されたシール７２を作成しなければならない。
【０００９】
また、シール７２が剥がれたり、シール７２に記載された契約番号が消えてしまったりすることがある。すなわち、計器ボックス５１から計器が取り除かれてから長期間が経過することがあり、また、計器ボックス５１が置かれている環境が悪い場合がある。このような場合には、シール７２が剥がれ落ちて紛失してしまったり、シール７２等の汚れや劣化により契約番号が見えなくなってしまったりすることがある。
【００１０】
一方、計器から取り外された電力供給側の電線６１の端部に端末キャップ７１を装着する従来の方法には、次のような問題がある。
まず、端末キャップ７１を電線６１に装着する際に、電線６１が接触して短絡し、または作業者が電線６１に触れて感電してしまうおそれがある。すなわち、計器から取り外した状態の電線６１の端部は、導体部が露出しており、また、計器への接続固定が解除されて自由に動くことができる状態である。それゆえ、導体部同士が接触するおそれがあり、また、作業者の手が導体部に触れて感電するおそれがある。
【００１１】
さらに、計器が取り除かれている間に端末キャップ７１が電線６１から外れる場合がある。すなわち、計器ボックス５１が置かれている環境が悪い場合や、建物、引込柱等の補修作業中に電力供給側の電線６１が引っ張られ、端末キャップ７１が電線６１に強固に固定されていない場合には、端末キャップ７１が電線６１から外れて電線６１の導体部が露出してしまう可能性がある。
【００１２】
また、従来、端末キャップ７１に代え、絶縁テープを電線６１の端部に巻き付けることで、電線６１の短絡や電線６１による感電を防止する方法も採用されている。この方法においても、絶縁テープを電線６１に巻き付ける際に短絡や感電が生じるおそれがあり、また、計器が取り除かれている間に絶縁テープが電線６１から外れてしまうおそれがある。
【００１３】
そこで、例えば特許文献１のように、表面を色別け形成した複数の保持具を連結し、各保持具において各々押ボタンを押圧操作することで、電線の絶縁保持および保持した状態からの取外しを可能とする計器箱用電線端末保持具が知られている。かかる計器箱用電線端末保持具では、電線の絶縁保持と、該絶縁保持の状態から電線を取外すいずれの動作も押ボタンを押圧する、文字通りのワンタッチ操作で作業性よく行える上、電線を電源側配線と負荷側配線とに整理して保持可能としている。しかしながら、上述した契約番号に関する問題については解消の余地はなかった。
【００１４】
本発明は上述したような問題に鑑みなされたものであり、計器ボックスから計器が取り除かれた後の管理器具において、契約番号の容易かつ確実な管理を可能にすると共に、計器に接続すべき電線を計器ボックス内に安全に保持することを可能にすることを主たる目的とする。
【課題を解決するための手段】
【００１５】
上記課題を解決するために、本発明の管理器具は、
計器を取り除いた後の計器ボックスに取り付けられ、前記計器に関連する計器関連情報および前記計器に接続すべき電線を管理する管理器具であって、
ケースと、
前記ケースに設けられ、表示すべき記号を変更自在に設定する複数の表示片が配列され、これら表示片によって記号配列を形成し、当該記号配列を前記計器関連情報として表示する計器関連情報表示部と、
前記ケースに設けられ、前記電線の端部を覆いつつ当該端部を固定する電線固定部と、
を備え、
前記ケースは、
前面側が開口したケース本体と、
前記開口を塞ぐように開閉自在に配設される蓋部と、を有しており、
前記ケース本体および前記蓋部の間には、前記蓋部の開放を抑止する封印手段が設けられ、
前記複数の表示片は、前記ケース本体内に回転可能に支持されるダイヤルであり、
前記ダイヤルは、前記ケースの前記蓋部を開放した状態でのみ、個々の前記ダイヤルの回転が可能となることを特徴とする。
【００１６】
このとき、前記電線固定部は絶縁材料からなり、前記電線の端部が装着されることが好ましい。
【００１９】
しかも、前記ケースは、
前記ケース本体の背面側に固定された支持部と、
前記計器ボックスに突設された突起部および前記支持部の間に架設され、一端側が前記突起部に係止されると共に、他端側が前記支持部と摺動自在に係合される係合部と、を有するスライド機構を介して前記計器ボックスに取り付けられていることが好ましい。
【発明の効果】
【００２０】
本発明によれば、計器ボックスから計器が取り除かれた後において、計器関連情報の容易かつ確実な管理が可能になると共に、計器に接続すべき電力供給側の電線を計器ボックス内に安全に保持することができる。
【図面の簡単な説明】
【００２１】
【図１】本発明の実施形態に係る管理器具が設けられた計器ボックスを示す説明図である。
【図２】図１の計器ボックスにおけるフロントカバーを取り外した状態を示す説明図である。
【図３】本発明の実施形態による管理器具を示す説明図である。
【図４】図３の管理器具における蓋部を開いた状態を示す説明図である。
【図５】従来技術における、計器が取り除かれた後の計器ボックス、シール、電線、装着キャップ等を示す説明図である。
【発明を実施するための形態】
【００２２】
以下、本発明の実施形態について図面を参照しながら説明する。
図１および図２は、計器が取り除かれ、本実施形態による管理器具が設けられた計器ボックスを示している。図１は、フロントカバーが取り付けられた状態を示し、図２は、フロントカバーが取り外された状態を示している。
【００２３】
図１および図２において、計器ボックス５１は例えば建物に設けられている。計器ボックス５１は、ベース部５２およびフロントカバー５３を備え、中空の箱状に形成されている。フロントカバー５３には確認窓５４が形成されている。確認窓５４は、例えば、フロントカバー５３に孔を形成し、その孔を透明板等で塞ぐことにより形成されている。利用者は、フロントカバー５３が取り付けられた状態でも、確認窓５４から計器ボックス５１の内部を見ることができるようになっている。
【００２４】
計器ボックス５１内には、通常、電気の使用量等を計測するための計器（不図示）が設けられる。しかしながら、電気の需給契約が廃止された後、１年以上経過しても次の需給契約がない場合には、計器ボックス５１から計器が取り除かれる。計器が取り除かれた後も計器ボックス５１はその建物に保持される。図２に示すように、計器が取り除かれた後の計器ボックス５１内には、管理器具１１が設けられる。管理器具１１は、計器ボックス５１のベース部５２に設けられた突起部５６に取り付けられる。
【００２５】
また、計器ボックス５１内には、電力供給側の電線６１の端側および負荷側の電線６２の端側が設けられている。これらの電線６１，６２の端側は、ベース部５２に形成された電線挿入孔５５を介して計器ボックス５１内に挿入されている。計器ボックス５１内に図示省略する計器が設けられている間、これら電線６１，６２は計器に接続される。一方、計器が取り除かれた後は、これらの電線６１，６２は計器から取り外される。しかしながら、これらの電線６１，６２の端側は、計器ボックス５１内に据え置かれ、保持される。
【００２６】
図２に示すように、電力供給側の電線６１の端側は管理器具１１に固定されている。一方、負荷側の電線６２の端側は、計器ボックス５１内に保持されている。なお、負荷側の電線６２は充電されていないので、計器ボックス５１内において当該電線６２の導体部６３が露出していても感電等の問題は生じない。
【００２７】
図３および図４は本発明の実施形態による管理器具１１を示している。図３は蓋部１４が閉じている状態を示し、図４は蓋部１４が開いている状態を示している。
【００２８】
図３に示すように、管理器具１１は、ケース１２を備えている。ケース１２は、全体的にみて直方体状に形成されている。ケース１２の大きさは、管理器具１１を計器ボックス５１内に収納できるように設定されている。ケース１２は、前面側が開口したケース本体１３と、この開口を塞ぐように開閉自在に配設される蓋部１４と、により中空の箱状に形成されている。ケース本体１３および蓋部１４は、それぞれ樹脂等の絶縁材料により形成されており、電線６１の短絡や電線６１による感電を確実に防止できるようになっている。
【００２９】
また、ケース本体１３には、電線６１を電線固定部２５に装着させるために電線６１をケース１２内に導く電線装着孔１５が複数形成されている。
さらに、蓋部１４には、計器関連情報表示部としてのダイヤル装置２１により表示される計器関連情報としての契約番号を構成する各数字を、外部から視認可能にするための表示窓部１６が形成されている。表示窓部１６の個数および配置は、ダイヤル装置２１における数字の個数（契約番号の桁数）およびダイヤル装置２１における数字の配置と合致している。各表示窓部１６は蓋部１４を貫通する孔である。各表示窓部１６を透明板で塞いでもよい。
【００３０】
また、蓋部１４は、図４に示すように、開くことができる。蓋部１４の上部は、ケース本体１３の上部に接続部１７を介して開閉自在に支持されている。また、図３に示すように、蓋部１４の下部とケース本体１３の下部との間には、蓋部１４の開放を抑止する封印手段としての封印具１８が設けられていることが好ましい。これにより、封印具１８を取り外すことなく蓋部１４を開閉できないため、盗電等の不正行為を未然に防止できる。
【００３１】
さらに、図４に示すように、ケース１２内（つまり、ケース本体１３内）の上部にはダイヤル装置２１が設けられている。ダイヤル装置２１は、複数桁の数字の配列を表示することができる装置である。具体的に、ダイヤル装置２１は契約番号を表示する装置である。ダイヤル装置２１は、複数の表示片としてのダイヤル２２を備えている。これらダイヤル２２は直線状に一列に配列されている。また、ダイヤル装置２１は図示しない回転軸を備え、各ダイヤル２２は回転軸に回転可能に支持されている。ダイヤル２２の個数は契約番号の桁数に合致する。本実施形態においては契約番号は９桁なので、ダイヤル装置２１は９つのダイヤル２２を備えている。また、各ダイヤル２２の周面には、０から９までの数字が印刷ないし刻印されている。
【００３２】
ユーザは、図４に示すように蓋部１４を開いた状態で、個々のダイヤル２２を手で回し、表示すべき数字を設定・変更することができる。また、蓋部１４を閉めることによりダイヤル２２が固定される。蓋部１４が閉まった状態では、表示窓部１６を介して指や何らかの突起物がダイヤル２２に触れても、ダイヤル２２が動くことがなく、設定した数字が意に反して変わってしまうことがない。つまり、蓋部１４を閉じることで、ダイヤル２２が回動されるのを確実に防止できるため、蓋部１４を開放しない限り、設定後の契約番号は変更できないようになっている。
【００３３】
また、ケース１２内の下部には、電線固定部２５が設けられている。電線固定部２５は、電力供給用の電線６１の端部を、絶縁した状態で固定する部分である。本実施形態において、電線固定部２５は３つ設けられている。これにより、最大３本の電線６１を固定することができるので、管理器具１１によれば、単相２線式、単相３線式、３相３線式による電線６１を固定することができる。各電線固定部２５は例えば筒状に形成され、外周面側の一部がケース本体１３に固定されている。また、各電線固定部２５は、電線装着孔１５と対応する位置に配置されており、各電線固定部２５の内部が電線装着孔１５と連通している。これにより、利用者は、電線装着孔１５を介して電線６１を電線固定部２５に装着することができる。また、電線固定部２５は絶縁材料により形成されている。電線固定部２５に装着された電線６１の端部の導体部は、電線固定部２５により覆われる。これにより、電線６１が絶縁される。また、各電線固定部２５には押付ねじ２６が設けられている。利用者は、電線６１を電線固定部２５に装着した後、押付ねじ２６を締め付けることで、電線６１を電線固定部２５に強固に固定することができる。
【００３４】
さらに、図３に示すように、ケース１２は、ケース本体１３の背面側に固定された支持部３１と、計器ボックス５１に突設された突起部５６および支持部３１の間に架設され、一端側が突起部５６に係止されると共に、他端側が支持部３１と摺動自在に係合される係合部としてのスライド部３２と、を有するスライド機構を介して計器ボックス５１に取り付けられて（支持されて）いる。
すなわち、支持部３１はケース１２の背面側に固定されており、また、支持部３１にはスライド部３２の下端側が取り付けられている。また、スライド部３２の上端側には取付孔３４が形成されている。利用者は、取付孔３４を計器ボックス５１の突起部５６に掛けることにより、管理器具１１を計器ボックス５１に取り付けることができる。
【００３５】
また、スライド部３２は支持部３１に対して垂直方向（図３中の矢印で示す方向）に移動することができる。スライド部３２を図３中の上向きに移動させて伸ばすことで、取付孔３４とケース１２との間隔を長くすることができる。これにより、計器ボックス５１内の下側に管理器具１１を配置することができる。また、スライド部を図３中の下向きに移動させ、スライド部３２を縮ませることで、取付孔３４とケース１２との間隔を短くすることができる。これにより、計器ボックス５１内の上側に管理器具１１を配置することができる。
【００３６】
ここで、計器ボックス５１には種類が様々あり、計器ボックス５１ごとに、計器ボックス５１の大きさや、計器ボックス５１のフロントカバー５３における確認窓５４の位置、あるいは計器ボックス５１における突起部５６の位置等がまちまちである場合でも、利用者は、スライド部３２を調節することで、ダイヤル装置２１が表示する契約番号を確認窓５４を介して視認できるように、計器ボックス５１内における管理器具１１の位置を定めることができる。また、固定ねじ３３は支持部３１に取り付けられており、固定ねじ３３を緩めることによりスライド部３２が移動可能となり、固定ねじ３３を締め付けることによりスライド部３２が固定される。
【００３７】
換言すれば、本実施形態の管理器具１１は、上述のスライド機構を介して計器ボックス５１に取り付けられるため、当該計器ボックス５１における種々の仕様（形状）に応じて取付位置に変更が生じた場合にも柔軟に対応可能となっている。
【００３８】
このような構成を備えた管理器具１１を利用者は例えば次のように用いることができる。すなわち、計器ボックス５１のフロントカバー５３を取り外し、計器を取り除いた後、管理器具１１を用意し、管理器具１１の蓋部１４を開く。次に、ダイヤル装置２１の各ダイヤル２２を回し、契約番号を設定する。続いて、電力供給側の電線６１を電線固定部２５に装着し、押付ねじ２６を締め付け、電線６１を電線固定部２５に固定する。次いで、蓋部１４を閉じ、封印具１８を取り付ける。続いて、固定ねじ３３を緩め、スライド部３２を適宜移動させ、ダイヤル装置２１が表示する契約番号を確認窓５４を介して視認できるように、管理器具１１の位置を定め、その後、固定ねじ３３を締め付け、スライド部３２を固定する。次に、取付孔３４を突起部５６に掛け、管理器具１１を計器ボックス５１内に取り付ける。その後、計器ボックス５１のベース部５２にフロントカバー５３を取り付ける。
【００３９】
以上、説明したように、本実施形態による管理器具１１によれば、計器ボックス５１から計器が取り除かれた後において、契約番号の容易かつ確実な管理が可能になると共に、計器に接続すべき電力供給側の電線６１を計器ボックス５１内に安全に保持することができる。
【００４０】
すなわち、管理器具１１によれば、利用者は、ダイヤル装置２１の各ダイヤル２２を回すことで契約番号を設定・変更することができる。したがって、管理器具１１をある建物Ａで用い、その後に別の建物Ｂで用いるといった状況が生じた場合、管理器具１１を建物Ａで用いるときには、建物Ａに対応する契約番号を各ダイヤル２２を回して設定し、その後、管理器具１１を建物Ｂで用いるときには、建物Ａに対応する契約番号を建物Ｂに対応する契約番号に各ダイヤル２２を回して変更することができる。このように、利用者は、契約番号の表示の設定を容易に行うことができ、また、管理器具１１を複数の建物で使い回すことができる。従来のように、建物ごとに個別のシールを作成する必要はない。
【００４１】
また、管理器具１１によれば、契約番号がダイヤル装置２１により設定・表示されるので、計器ボックス５１から計器が取り除かれてから長期間が経過した場合でも、計器ボックス５１が置かれている環境が悪い場合でも、管理器具１１による契約番号の明確な表示を維持することができる。従来のように、シールが剥がれ、または、シール上の契約番号が消えることにより、契約番号がわからなくなることがない。
【００４２】
さらに、管理器具１１によれば、電力供給側の電線６１を電線固定部２５に強固に固定することができるので、計器が取り除かれている間に電線６１が外れ落ち、電線６１の導体部が露出することを防止することができる。これにより、電線６１の短絡や、電線６１による感電を防止することができる。
【００４３】
また、管理器具１１によれば、ケース本体１３にそれぞれ固定された電線固定部２５に電線６１を装着して固定するので、電線６１の装着が容易である。また、それぞれの電線固定部２５は、十分な間隔を置いてケース本体１３に配置されているので、装着時に電線６１を互いに接近させないように保持することが容易である。したがって、電線６１を装着する際に、電線６１の短絡や、作業者の感電を抑制することができる。
【００４４】
さらに、ケース１２は、前面側が開口したケース本体１３と、この開口を塞ぐように開閉自在に配設される蓋部１４と、を有しており、ケース本体１３および蓋部１４の間には、蓋部１４の開放を抑止する封印具１８が設けられている。これにより、封印具１８を取り外すことなく蓋部１４を開閉できないため、盗電等の不正行為を未然に防止できる。
【００４５】
そして、ケース本体１３内に回転可能に支持される複数の表示片としてのダイヤル２２は、ケース１２の蓋部１４を開放した状態でのみ、個々のダイヤル２２の回転が可能となる。つまり、蓋部１４を閉めることによりダイヤル２２が固定される。よって、蓋部１４が閉まった状態では、表示窓部１６を介して指や何らかの突起物がダイヤル２２に触れても、ダイヤル２２が動くことがなく、設定した数字が意に反して変わってしまうことがない。換言すれば、蓋部１４を閉じることで、ダイヤル２２が回動されるのを確実に防止できるため、蓋部１４を開放しない限り、設定後の契約番号は変更できない。
【００４６】
しかも、ケース１２は、ケース本体１３の背面側に固定された支持部３１と、計器ボックス５１に突設された突起部５６および支持部３１の間に架設され、一端側が突起部５６に係止されると共に、他端側が支持部３１と摺動自在に係合されるスライド部３２と、を有するスライド機構を介して計器ボックス５１に取り付けられている。これにより、計器ボックス５１に種々の種類が様々あり、計器ボックス５１ごとに、計器ボックス５１の大きさや、計器ボックス５１のフロントカバー５３における確認窓５４の位置、あるいは計器ボックス５１における突起部５６の位置等がまちまちな場合であっても、利用者は、スライド部３２を調節することで、ダイヤル装置２１が表示する契約番号を確認窓５４を介して視認可能なように、計器ボックス５１内における管理器具１１の位置を定めることができる。換言すれば、計器ボックス５１における種々の仕様（形状）に応じて取付位置に変更が生じた場合にも柔軟に対応可能となっている。
【００４７】
なお、本発明は、上述した実施形態に限定されることなく、本発明の趣旨を逸脱しない範囲において、適宜、種々の改良および設計の変更が可能であり、そのような変更を伴う管理器具もまた本発明の技術思想に含まれる。
【００４８】
例えば、上述した実施形態では、契約番号を表示する計器関連情報表示部としてダイヤル装置２１を用いたが、本発明はこれに限らず、計器関連情報表示部として他の装置を用いてもよい。例えば、１つの数字がそれぞれ印刷または刻印された複数のピースと、これらのピースを並べて固定することができるピース載置板とを備えた装置を用いることができる。
【００４９】
また、上述した実施形態では、ダイヤル装置２１により計器関連情報として契約番号を表示する場合を例にあげたが、本発明はこれに限らない。計器関連情報は、計器の使用に関連する情報、計器を使用する者に関連する情報、計器を提供する者に関連する情報、計器の測定対象に関連する情報、計器の設置場所に関連する情報等を含み、これらのいずれかの情報に当たる記号配列をダイヤル装置２１により表示するようにしてもよい。
【符号の説明】
【００５０】
１１…管理器具
１２…ケース
１３…ケース本体
１４…蓋部
１５…電線装着孔
１６…表示窓部
１７…接続部
１８…封印具（封印手段）
２１…ダイヤル装置（計器関連情報表示部）
２２…ダイヤル（表示片）
２５…電線固定部
２６…押付ねじ
３１…支持部
３２…スライド部（係合部）
３３…固定ねじ
３４…取付孔
５１…計器ボックス
５２…ベース部
５３…フロントカバー
５４…確認窓
５５…電線挿入孔
５６…突起部
６１…電源供給側の電線
６２…負荷側の電線
６３…導体部
７１…端末キャップ
７２…シール
【図１】
0005903125.tif 000002
【図２】
0005903125.tif 000003
【図３】
0005903125.tif 000004
【図４】
0005903125.tif 000005
【図５】
0005903125.tif 000006